(57)【要約】【課題】ステップへのアクセスが容易な移植機をローコストで提供することを課題としている。【解決手段】移植作業機１２の苗載台１１に補給する補助苗を予め載置する補助苗載台１８を、前方側及び後方側の縦杆１７Ｆ，１７Ｒが補助苗載台１８の上方において連結された側面視で門形をなすステー１７によって、走行機体１のステップ１４の外側方に配置して取り付け、ステー１７を、補助苗載台１８より外側に立設し、補助苗載台１８に対して前方に偏位するように配置し、補助苗載台１８を外側において支持する構成とした。【選択図】図２
2007244314.tif 000002
【特許請求の範囲】
【請求項１】
側部にステップ（１４）を有する走行機体（１）と、該走行機体（１）に連結される移植作業機（１２）とを備え、移植作業機（１２）に、植付け用の苗を載置する苗載台（１１）を設け、走行機体（１）に、苗載台（１１）に補給する補助苗を予め載置する補助苗載台（１８）を設け、補助苗載台（１８）の取り付け用のステー（１７）をステップ（１４）の外側に設け、該ステー（１７）が、前方側及び後方側の縦杆（１７Ｆ），（１７Ｒ）が補助苗載台（１８）の上方において連結された側面視で門形をなし、ステー（１７）によって補助苗載台（１８）をステップ（１４）の外側方に配置して取り付けた移植機において、上記ステー（１７）を、補助苗載台（１８）より外側に立設し、補助苗載台（１８）に対して前方に偏位するように配置し、補助苗載台（１８）を外側において支持する構成とした移植機。
【請求項２】
ステー（１７）を走行機体（１）側に取り付けるために走行機体（１）側に向かって横方向に延出する横延出部（１９Ｆａ）をステー（１７）の前部に設け、該横延出部（１９Ｆａ）を補助苗載台（１８）の下方位置に配置して足掛けを兼用させた請求項１の移植機。
【発明の詳細な説明】
【技術分野】
【０００１】
本発明は、補助苗を載置する補助苗載台を備えた移植機に関する。
【背景技術】
【０００２】
従来側部にステップを有する走行機体と、該走行機体に連結される移植作業機とを備え、移植作業機に、植付け用の苗を載置する苗載台を設け、走行機体に、苗載台に補給する補助苗を予め載置する補助苗載台を設け、補助苗載台の取り付け用のステーをステップの外側に設け、ステーによって補助苗載台をステップの外側方に配置した移植機が公知となっている（例えば特許文献１参照）。
【特許文献１】特開２００３−８８２１７号公報
【発明の開示】
【発明が解決しようとする課題】
【０００３】
補助苗載台への補助苗の供給や、補助苗載台から苗載台への補助苗の補給等のために作業者がステップ上に立つことがある。例えばステップの前方側からステップにアクセスする場合、作業者の体が不安定とならないように、手摺り等を設けることが望ましいが、コストやスペースの関係で手摺りが設けられている機種はほとんどない。手摺りがないことによって作業者はステップへのアクセスが困難な場合がある。
【課題を解決するための手段】
【０００４】
上記課題を解決するための本発明の移植機は、側部にステップ１４を有する走行機体１と、該走行機体１に連結される移植作業機１２とを備え、移植作業機１２に、植付け用の苗を載置する苗載台１１を設け、走行機体１に、苗載台１１に補給する補助苗を予め載置する補助苗載台１８を設け、補助苗載台１８の取り付け用のステー１７をステップ１４の外側に設け、該ステー１７が、前方側及び後方側の縦杆１７Ｆ，１７Ｒが補助苗載台１８の上方において連結された側面視で門形をなし、ステー１７によって補助苗載台１８をステップ１４の外側方に配置して取り付けた移植機において、上記ステー１７を、補助苗載台１８より外側に立設し、補助苗載台１８に対して前方に偏位するように配置し、補助苗載台１８を外側において支持する構成としたことを第１の特徴としている。
【０００５】
第２に、ステー１７を走行機体１側に取り付けるために走行機体１側に向かって横方向に延出する横延出部１９Ｆａをステー１７の前部に設け、該横延出部１９Ｆａを補助苗載台１８の下方位置に配置して足掛けを兼用させたことを特徴としている。
【発明の効果】
【０００６】
以上のように構成される本発明の構造によると、ステーは、全体が補助苗載台に対して前方に偏位するようにステップの外側に配置される。このためステーの前方側の縦杆を手摺りとして兼用し、作業者が前方側の縦杆を手摺りとして掴み、ステップへのアクセスを容易に行うことができるという効果がある。
【０００７】
ステーは、前方側及び後方側の縦杆によって走行機体側に安定して取り付けられる。このため補助苗載台より走行機体側に向かう補強部材等を設けることなく、補助苗載台は走行機体に安定して取り付けられる。ステーは補助苗載台より外側に配置され、ステップと補助苗載台との間に位置しないため、作業者はステップ上の移動、補助苗載台への補助苗の供給、補助苗載台からの補助苗の取出し等をステーによって妨げられることなく円滑に行うことができる。
【０００８】
ステーを走行機体側に取り付けるために走行機体側に向かって横方向に延出する横延出部をステーの前部に設け、該横延出部を補助苗載台の下方位置に配置して足掛けを兼用させることによって、作業者は横延出部を足掛けとしてステップへのアクセスを容易に行うことができる他、専用の足掛けを設ける必要がないという利点がある。
【発明を実施するための最良の形態】
【０００９】
図１，図２は、本発明を採用した移植機である乗用田植機の平面図及び要部側面図である。本乗用田植機の走行機体１は前輪２及び後輪３を備えている。走行機体１の前方には、内部に図示しないエンジンを搭載するボンネット４が設けられている。ボンネット４の後方には操縦部である運転席６が構成されている。
【００１０】
運転席６内にはシート７が設けられている。運転席６内のシート７の前方には操作パネル８がフロア１０から立ち上がって設けられている。フロア１０は、シート７の前方から操作パネル８の側方に至り設けられている。操作パネル８はボンネット４の後方に位置する。操作パネル８からはステアリングハンドル９が突出している。
【００１１】
走行機体１の後部には、苗載台１１を備えた植付作業機１２が昇降可能に連結されている。圃場内で走行機体１を走行させ、植付作業機１２を接地下降させて作動させることにより、走行機体１の走行に伴い植付作業機１２が植付爪１３によって苗載台１１から苗を描き取り、該苗を圃場に植え付ける。
【００１２】
走行機体１のボンネット４の外側方にはステップ１４が設けられている。ステップ１４は、機体カバー１５上に構成された足踏み部であり、本実施形態においては機体カバー１５の上面に敷設されたマットからなる。ステップ１４の左右両外側方には、各々ステー１７を介してステップ１４より上方位置に補助苗載台１８が設けられている。
【００１３】
補助苗載台１８には、苗載台１１に補給する予備のマット苗（補助苗）が予め載置される。補助苗載台１８又は補助苗載台１８上に載置される苗箱からマット苗を取り出すスクレーパによって補助苗載台１８や苗箱からマット苗（補助苗）を取り出し、苗載台１１に補給することができる。
【００１４】
図２に示されるように、上記ステー１７は、側面視において門形をなす。図３，４に示されるように、ステー１７の前後両縦杆１７Ｆ，１７Ｒの下端部分が、走行機体１の機体フレーム１ａ側に取り付けられた支持部材１９に取り付けられ、ステー１７が走行機体１側に取り付けられている。
【００１５】
両支持部材１９は、ステー１７の前後両縦杆１７Ｆ，１７Ｒの下端部分を受け止める支持杆１９Ｆ，１９Ｒを前後に備えている。両支持杆１９Ｆ，１９Ｒは補強杆１９ａによって連結補強されている。両支持杆１９Ｆ，１９Ｒの下端部分が走行機体１の内側に向かって屈曲し、左右方向の横延出部１９Ｆａ，１９Ｒａを形成している。
【００１６】
上記両横延出部１９Ｆａ，１９Ｒａの端部が機体フレーム１ａに一体的に固定されている。前方側の横延出部１９Ｆａは、ステップ１４の下方位置において機体フレーム１ａに取り付けられている。
【００１７】
前方側の横延出部１９Ｆａは、上記前方側の縦杆１７Ｆから連続して補助苗載台１８より前方に位置し、走行機体１（ボンネット４）の前端位置近傍に位置している。ただし上記横延出部１９Ｆａは、走行機体１の前端より前方に突出することはない。
【００１８】
補助苗載台１８はステー１７の後方側の縦杆１７Ｒに上下複数段取り付けられている。各補助苗載台１８は、走行機体１の中央側に向かって高くなる傾斜姿勢で取り付けられている。
【００１９】
ステー１７の後方側の縦杆１７Ｒは、側面視において補助苗載台１８の前後幅内の範囲に位置している。本実施形態において後方側の縦杆１７Ｒは、補助苗載台１８の概ね前後中央位置に配置されている。
【００２０】
前方側の縦杆１７Ｆは、各補助苗載台１８の前端位置より前方に配置されている。前方側の縦杆１７Ｆと後方側の縦杆１７Ｒとは最上段の補助苗載台１８の上方位置においてループ状に連結されている。
【００２１】
ステー１７は、ステー１７の両縦杆１７Ｆ，１７Ｒが上記位置に配置されるように、各補助苗載台１８に対して前方に偏位（オフセット）して配置されている。各補助苗載台１８は、各々の外側端部がステー１７に取り付けられている。補助苗載台１８はステー１７と走行機体１との間に位置する。補助苗載台１８とステップ１４とは平面視において重複することはない。
【００２２】
ステー１７は門形の両端部分が機体フレーム１ａ側に固定されることによって、補助苗載台１８より内側に向かう補強部材等を設けることなく、機体フレーム１ａに取り付けられた状態で高い剛性を維持することができ、各補助苗載台１８はステー１７によって安定して走行機体１に取り付けられる。
【００２３】
ステー１７がステップ１４の外側方に位置する補助苗載台１８の外側（反走行機体１側）に配置されているため、ステップ１４に立つ作業者は、ステップ１４上をステー１７に妨げられることなく自由に且つ容易に移動することができる。さらにステー１７に妨げられることなく容易に補助苗載台１８から補助苗を取り出したり、補助苗載台１８に補助苗をセットしたりすることができる。
【００２４】
ステー１７における前方側の縦杆１７Ｆが補助苗載台１８より前方に位置し、走行機体１（ボンネット４）の前端位置近傍に位置しているため、作業者は前方側の縦杆１７Ｆを手摺りとして兼用使用し、ステップ１４に対するアクセス（乗降等）を容易に行うことができる。
【００２５】
前方側の縦杆１７Ｆが上記前後位置に配置されているため、手摺りとして使用する場合、作業者は手摺り（縦杆１７Ｆ）を容易に掴むことができる。支持部材１９における前方側の支持杆１９Ｆの横延出部１９Ｆａは、ステップ１４の下方に位置しており、ステップ１４に対する乗り降り用の足掛け（補助ステップ）として機能する。これにより専用の補助ステップを設けることなく、ローコストで補助ステップを設けることができ、ステップ１４に対する乗降を更に容易に行うことができる。
【００２６】
補助ステップとなる上記横延出部１９Ｆａは、走行機体１の前端より前方に突出することなく、補助苗載台１８より前方に位置して、走行機体１（ボンネット４）の前端位置近傍に配置されている。さらに上記横延出部１９Ｆａは、ステー１７とステップ１４との間に位置しているため、走行機体１の全幅より外側に突出することはない。横延出部１９Ｆａによる走行機体１の全長の延長や横幅の拡大等の不都合が防止されるとともに、作業者等の横延出部１９Ｆａへの当接等も防止される。
【００２７】
本実施形態においては、補助ステップとなる上記横延出部１９Ｆａに足を載せる足載せ部２１が設けられている。足載せ部２１を介して補助ステップ（横延出部１９Ｆａ）に容易に足を載せることができる。足載せ部２１はおおむね水平に設けることが望ましい。
【００２８】
なお補助苗載台１８が上下方向に複数段に設けられているため、複数の補助苗を上下に載置することができ、省スペースで多くの補助苗をセットすることが可能である。各補助苗載台１８は走行機体１の中央側に向かって高くなる傾斜姿勢で設けられているため、載置された補助苗の取り出しを容易に行うことができる。
【００２９】
本実施形態の乗用田植機は、最下段の補助苗載台１８の下方位置に施肥機用の肥料タンク２２が配置されている。肥料タンク２２は最下段の補助苗載台１８の下方の空きスペースに省スペースで配置される。肥料タンク２２はステップ１４側に突出することはなく、肥料タンク２２がステップ１４の通行を妨げることはない。最下段の補助苗載台１８と肥料タンク２２との間には、肥料タンク２２の肥料供給用の蓋２２ａを上下方向に開閉することができる程度のスペースが設けられている。
【００３０】
前述の補助ステップとなる横延出部１９Ｆａは、肥料タンク２２の前端より前方に配置されており、肥料タンク２２が補助ステップ（横延出部１９Ｆａ）の使用を妨げることはない。
【００３１】
なお本実施形態の乗用田植機には、前述のスクレーパを収納するスクレーパ収納具２３が右側のステー１７の後方側の縦杆１７Ｒに取り付けられている。スクレーパ収納具２３はステー１７の外側（反補助苗載台側）に設けられている。スクレーパ収納具２３がステー１７の後方側に配置されるため、作業者はスクレーパの取り出しや格納を容易に行うことができる。
【図面の簡単な説明】
【００３２】
【図１】乗用田植機の平面図である。
【図２】乗用田植機の要部側面図である。
【図３】乗用田植機の要部正面図である。
【図４】乗用田植機の要部平面図である。
【図５】スクレーパ収納具を示すステー部分の右側面図である。
【符号の説明】
【００３３】
１        走行機体
１１      苗載台
１２      植付作業機（移植作業機）
１４      ステップ
１７      ステー
１７Ｆ    縦杆
１７Ｒ    縦杆
１８      補助苗載台
１９Ｆａ  横延出部
【図１】
2007244314.tif 000003
【図２】
2007244314.tif 000004
【図３】
2007244314.tif 000005
【図４】
2007244314.tif 000006
【図５】
2007244314.tif 000007